(57)【要約】【課題】杭孔の底部に築造された根固め部の未硬化状態の試料を、土砂等が含まない状態で確実に採取できる試料採取装置及び試料採取方法を提供する。【解決手段】鉛直方向に延びるガイドロッド３と、ガイドロッド３の外側に同心円状に設置された試料採取管４とから構成する。試料採取管４は杭孔Ａ内をガイドロッド３に沿って昇降し、ガイドロッド３の下端部より下方に垂下した状態で杭孔Ａ内をガイドロッド３と共に下降し、かつガイドロッド３と同心円状に重なった状態で杭孔Ａ内をガイドロッド３と共に上昇する。ガイドロッド３は、試料採取管４がガイドロッド３の下端部より下方に垂下した状態で試料採取口4aが下部蓋７上にあり、試料採取管４が規定寸法移動させた状態で試料採取口4aを閉じる上部蓋８をそれぞれ備えている。【選択図】    図１
2019203299.tif 000002
【特許請求の範囲】
【請求項１】
削孔内に充填された充填物の未硬化状態の試料を採取するための試料採取装置であって、鉛直方向に延びるガイドロッドと、当該ガイドロッドの外側に同心円状に設置され、前記削孔内を前記ガイドロッドに沿って昇降可能であり、前記ガイドロッドの下端部より下方に垂下した状態で前記削孔内を前記ガイドロッドと共に下降し、前記ガイドロッドと同心円状に重なった状態で前記削孔内を前記ガイドロッドと共に上昇する試料採取管と、前記試料採取管が前記ガイドロッドの下端部より下方に垂下した状態で前記試料採取管を固定する上部ストッパーと、前記試料採取管を前記ガイドロッドと同心円状に重なった状態で前記試料採取管を固定する下部ストッパーとを備え、かつ前記試料採取管は上端部に試料採取口を有し、前記ガイドロッドには前記試料採取管が前記ガイドロッドの下端部より下方に垂下した状態で前記試料採取口が下部蓋上であり、前記試料採取管が前記ガイドロッドに沿って上昇する間、下部蓋上の未硬化状態の試料を取り込むと同時に前記試料採取口を閉じる上部蓋とを備えていることを特徴とする試料採取装置。
【請求項２】
請求項１記載の試料採取装置において、前記上部ストッパーは鉛直上向き状態から両側ほぼ水平状態に軸支された一対のラッチと、当該ラッチを両側ほぼ水平状態に付勢するスプリングとを備え、前記下部ストッパーは鉛直下向き状態から両側にほぼ水平状態に軸支された一対のラッチと、当該ラッチを両側ほぼ水平状態に付勢するスプリングとを備えていることを特徴とする試料採取装置。
【請求項３】
請求項１または２記載の試料採取装置において、前記ガイドロッド内に前記上部ストッパーを解除するための操作ロッドが挿通されていることを特徴とする試料採取装置。
【請求項４】
請求項１〜３のいずれかひとつに記載の試料採取装置において、前記試料採取管は、動力によって前記ガイドロッドと共に回転可能に設置されていることを特徴とする試料採取装置。
【請求項５】
請求項４記載の試料採取装置において、前記ガイドロッドの回転力を前記試料採取管に伝達および遮断するための動力伝達手段を備えていることを特徴とする試料採取装置。
【請求項６】
請求項１〜５のいずれかひとつに記載の試料採取装置において、前記試料採取管の下端部に前記削孔内を撹拌するための撹拌翼が設置されていることを特徴とする試料採取装置。
【請求項７】
請求項１〜６のいずれかひとつに記載の試料採取装置を用いて削孔内の未硬化状態の試料を採取する試料採取方法において、以下の工程からなることを特徴とする試料採取方法。
(1)前記試料採取管を前記ガイドロットの下端部より下方に垂下した状態にセットし、前記上部ストッパーをロックする工程。
(2)前記試料採取管を、前記ガイドロッドを介して前記削孔内を削孔の底部まで挿入する工程。
(3)前記ストッパーを解除して、前記試料採取管を前記ガイドロッドに沿わせて規定寸法まで引き上げる工程。
(4) 前記試料採取管を前記ガイドロッドを介して前記削孔内を地表まで引き上げる工程。
【発明の詳細な説明】
【技術分野】
【０００１】
本発明は、例えば、杭孔の底部に築造された根固め部の性能を調査する目的などで、根固め部を築造した直後の未硬化状態の試料を採取する場合などに用いられる試料採取装置および試料採取方法に関し、杭孔の底部に築造された根固め部の未硬化状態の試料を確実かつ容易に採取できるようにしたものである。
【背景技術】
【０００２】
プレボーリング工法や中堀工法による杭の施工おいては、杭施工の品質管理の一環として、杭孔の底部に築造された根固め部の築造直後の未硬化状態の試料を採取して根固め部の性能を調査することが行われる。
【０００３】
例えば、プレボーリング工法における試料採取は、所定の施工手順のもと掘削機によって杭先端部を掘削ならびに根固め部を築造した後、一旦、掘削ロッドを地上まで引き上げ、その先端に取り付けられた掘削ビッドを試料採取器に付け替え、再度、杭先端の根固め部まで掘削ロッドを降ろして試料を採取した後引き上げ、地上で採取器内の未固化試料を回収する。
【０００４】
また、中堀工法における試料採取は、通常の施工方法で杭の沈設を行い、根固め部を築造した後、掘削ロッドを地上まで引き上げ、その後はプレボーリング工法の場合と同じ手順で未固化試料を回収する。
【０００５】
ところで、根固め部の未硬化状態の試料を採取する採取器として、これまで種々提案されており、例えば、特許文献１には、杭孔(20)内の充填物を一時的に収納する収納タンク(2)に充填物の採取口(3)と、該採取口(3)を開閉する採取蓋(4)と、該採取蓋(4)を移動させるアクチュエータ(5)とを備えた杭孔内充填物採取装置の発明が開示されている。
【０００６】
また、特許文献２には、コアチューブ(10)の先端に付けた取り外し可能なビット(12)、このビット(12)の移動を抑えるロッド(3)、ロッド(3)上端に設けられたオーバーショットキャッチャー(42)およびオーバーショットキャッチャー(42)の引き上げ操作によって移動可能なビット(12)のロックピン(25)が解除されるロック機構(2)を備えたクローズドサンプラーの発明が開示されている。
【０００７】
さらに、特許文献３には、土質試料採取用容器である土質試料採取用シリンダケース(5)と、シリンダケース(5)の下端部に取り付けた下部昇降ガイドレール部材(4)と、同試料採取用シリンダケース(5)内を昇降する上部ピストン(６)及び下部ピストン(7)と、直動形アクチュエータ(8)と、下部ピストン(7)の下方へ突き出された出力ロッド(8b)に設けられたロック解除入力部材(9)と、下降したロック解除入力部材(9)と連係する配置に設けられたロック解除指示部材(15)と、上部ピストン(6)の上面部へ設置された上部フレーム(12)と、上部フレーム(12)の内側に設置された駆動エネルギ源部(16)と、下部ピストン(7)の下面に設置されたロック部材(14)とを備えた土質試料採取装置の発明が開示されている。
【先行技術文献】
【特許文献】
【０００８】
【特許文献１】特開2011-1797号公報
【特許文献２】特許第4478351号公報
【特許文献３】特開2011-47749号公報
【発明の概要】
【発明が解決しようとする課題】
【０００９】
従来の採取器を用いても、杭孔の底部に築造された根固め部の未硬化状態の試料を採取することは可能であったが、採取器が杭孔の底部で確実に作動しないことがあり、このため必要量の試料を採取できなかったり、回収中に土砂などの不純物が混入して試料を適切に評価できないことがあった。
【００１０】
また、適切な位置で試料を採取できたかどうか、採取が完了したかどうか等について正確に判断できないことがあり、さらに、採取器の構造が複雑で操作が面倒なうえに、高額品である等の課題もあった。
【００１１】
また、特許文献１に開示された採取装置は、採取口を開閉する採取蓋が油圧アクチュエータで作動する構造になっているため、油圧系統を備えており簡便な装置ではない。
【００１２】
また、特許文献２に開示された採取装置は、試料を密閉状態で回収できないため、土壌試料を採取・回収できても根固め液のような流動性のある未硬化充填物の試料を適切に採取・回収できない等の課題があった。
【００１３】
そして、特許文献３に開示された採取装置は、直動形アクチュエータにより採取した試料を試料採取用シリンダケースに取り込むようなっているため、特許文献１の採取器と同様に簡便な装置ではない。
【００１４】
本発明は、以上の課題を解決するためになされたもので、構造および操作が簡単で、削孔内に充填された未硬化状態の試料を確実かつ容易に採取することができ、しかも、土砂などの不純物を採り込まない状態で試料の採取および回収を可能にした試料採取装置および試料採取方法を提供することを目的とするものである。
【課題を解決するための手段】
【００１５】
本発明は、削孔内に充填された充填物の未硬化状態の試料を採取するための試料採取装置の発明であり、鉛直方向に延びるガイドロッドと、当該ガイドロッドの外側に同心円状に設置され、前記削孔内を前記ガイドロッドに沿って昇降可能であり、前記ガイドロッドの下端部より下方に垂下した状態で前記削孔内を前記ガイドロッドと共に下降し、前記ガイドロッドと同心円状に重なった状態で前記削孔内を前記ガイドロッドと共に上昇する試料採取管と、前記試料採取管が前記ガイドロッドの下端部より下方に垂下した状態で前記試料採取管を固定する上部ストッパーと、前記試料採取管を前記ガイドロッドと同心円状に重なった状態で前記試料採取管を固定する下部ストッパーとを備え、かつ前記試料採取管は上端部に試料採取口を有し、前記ガイドロッドには前記試料採取管が前記ガイドロッドの下端部より下方に垂下した状態で前記試料採取口を閉じる下部蓋および前記試料採取管が前記ガイドロッドに沿って上昇する間開き、前記ガイドロッドと同心円状に重なると同時に前記試料採取口を閉じる上部蓋とを備えていることを特徴とするものである。
【００１６】
試料採取口を試料採取管の上端部に設け、下部蓋と上部蓋はガイドロッドの下端部とガイドロッドの下端部より上方に、前記試料採取管の高さとほぼ一致する間隔をおいて設置し、かつ前記試料採取管を前記ガイドロッドに沿って昇降可能に設置することで、試料採取管がガイドロッドの下端部に垂下した状態で、試料採取管の試料採取口を下部蓋によって閉じることができ、また、ガイドロッドが下降するのと相反して試料採取管が上昇してガイドロッドと同心円状に重なった状態で、試料採取口は上部蓋によって閉じることができる。そして、試料採取管がガイドロッドの下端部に垂下した状態からガイドロッドと同心円状に重なる状態になるまで上昇する間、試料採取口は開放された状態におくことができる。これにより、ガイドロッドを介して試料採取管を上記のように操作することにより、削孔内の任意の深さにおける未硬化状態の試料を、土砂などが混合された状態で確実に採取することができる。
【００１７】
また、前記試料採取管を削孔の底部まで挿入する間、試料を採取して地上まで引き上げる間、前記試料採取口を閉じている下部蓋と上部蓋は、それぞれ下部スッパーと上部ストッパーによって開かないようにロックすることで、削孔内の充填物による抵抗や水圧によって試料採取管が開くようなことはないので、昇降途中の他の深度の充填物や土砂などの不純物が入りこむことはない。
【００１８】
なお、上部ストッパーは、例えば、鉛直上向き状態から両側ほぼ水平状態の範囲を回転自在に軸支された一対のラッチと、当該ラッチを両側ほぼ水平状態に常時付勢するスプリングとを備えたものであり、また、下部ストッパーは、鉛直下向き状態から両側にほぼ水平状態の範囲を回転自在に軸支された一対のラッチと、当該ラッチを両側ほぼ水平状態に付勢するスプリングとを備えたものであり、特に、上部ストッパーは、ガイドロッド内に挿通された操作ロッドを介して解除することができる(図１参照)。
【００１９】
また、前記試料採取管を前記ガイドロッドと共に動力によって正逆回転可能に設置し、かつ前記試料採取管の下端部に撹拌翼を設置することで、少々硬化した削孔内でもきわめて効率的にかつ確実に昇降させることができる。
【００２０】
本発明の試料採取装置は、例えば、ボーリングロッドや掘削ロッドの先端部に取り付けられている掘削ビットに付け替え、杭の施工中においても試料の採取を行うことができ、削孔内に充填された充填物の未硬化状態の試料を以下の作業手順により確実に採取することができる。
【００２１】
(1)最初に、前記試料採取管を前記ガイドロットの下端部より下方に垂下した状態にセットし、前記上部ストッパーをロックしてガイドロッドの下端部に固定する。
【００２２】
(2)次に、前記試料採取管を前記ガイドロッドを介して前記削孔内の底部まで挿入する。その際、試料採取管の下端部に撹拌翼が設置してあり、動力によって回転させなから削孔内を昇降させることで、深い削孔内であってもきわめて効率的に試料の採取を行うことができる。
【００２３】
(3)次に、前記上部ストッパーを解除し、前記試料採取管を前記ガイドロッドに沿わせて削孔内を前記ガイドロッドと同心円状に重なる位置まで引き上げる。これにより削孔内の未硬化状態の試料は試料採取口より試料採取管内に取り込むことができる。
上部ストッパーは、ガイドロッド内に挿入された操作ロッドを下方に一定量押し込むことにより解除することができ、また、そのまま操作ロッドを引き上げることにより試料採取管を前記ガイドロッドと同心円状に重なる位置まで引き上げることができる。
【００２４】
(4)次に、前記試料採取管を、前記ガイドロッドを介して前記杭孔内を地表まで引き上げ、試料採取管内の試料を回収する。
【発明の効果】
【００２５】
本発明によれば、試料採取管を削孔内底部において鉛直方向に延びるガイドロッドに沿って引き上げることにより、未硬化状態の試料を真上に汲み上げるようにして採取口から採取可能なため、必要量の試料を確実に採取することができる。
【００２６】
また、試料採取管を削孔の底部まで挿入する間は下部蓋によって、試料を採取して地上まで引き上げる間は上部蓋によって、それぞれ試料採取口を閉じることができ、しかも下部蓋と上部蓋はそれぞれ下部スッパーと上部ストッパーによって開かないようにロックできることで、土砂などの余計なものが混入しない状態で削孔底部の試料を確実に採取することができる。さらに、既存の掘削機の掘削ロッドやボーリングロッドの先端に接続して試料の採取を行うことができる。
【図面の簡単な説明】
【００２７】
【図１】本発明の試料採取装置の一実施形態を図示したものであり、図1(a)は試料採取管がガイドロッドの下端部に垂下した状態を示す縦断面図、図1(b)は底面図である。
【図２】図１に図示する試料採取装置の試料採取管がガイドロッドに沿って引き上げられる状態を図示したものであり、図2(a)は縦断面図、図2(b),(c)は上部クラッチの構造を図示したものであり、図2(b)は図2(a)におけるイ−イ線断面図、図2(c)は図2(b)におけるロ−ロ線断面図である。
【図３】図１に図示する試料採取装置の試料採取管が規定寸法位置まで上昇して試料採取口に上部蓋が嵌って、試料採取口が閉じた状態を示す縦断面図である。
【図４】図4(a),(b),(c),(d),(e)は、図１に図示する試料採取装置を用いて杭孔の底部に築造された根固め部の未硬化状態の試料を採取する方法の施工手順を示す説明図である。
【図５】図5(a),(b),(c),(d)は、図４で説明する試料を採取する方法の施工手順において、特に試料採取管の動作を示す説明図である。
【発明を実施するための形態】
【００２８】
図１〜図３は、本発明の一実施形態を図示したものであり、図において、掘削機(図省略)の掘削ロッドまたはボーリングロッド１の先端部に、本発明の試料採取装置２が掘削ビット(図省略)に代えて脱着可能に設置されている。
【００２９】
試料採取装置２は掘削ロッド１の先端部に接続され、掘削ビットによって掘削された杭孔Ａ内を掘削ロッド１と共に上昇し、下降しおよび回転するガイドロッド３と、杭孔Ａの底部に築造された根固め部Ｂの未固化状態の試料を採取する試料採取管４と、試料採取管４の後述する上部ストッパー５を解除する操作ロッド６とを備えている。
【００３０】
ガイドロッド３は円筒形の管状に形成され、先端部に試料採取管４の試料採取口4aを塞ぐ下部蓋７と上部蓋８がそれぞれ設置されている。
【００３１】
下部蓋７と上部蓋８はガイドロッド３の管軸直角方向に突出する鍔状に形成され、試料採取管４に内接する大きさに形成され、かつガイドロッド３の管軸方向に試料採取管４の高さとほぼ同じ間隔をおいて形成されている。
【００３２】
また、下部蓋７には、ガイドロッド３の回転力を試料採取管４に伝達および遮断する上部動力伝達手段 (以下「上部クラッチ」)9Aの主動(動力)側ディスク10と下部動力伝達手段 (以下「下部クラッチ」)9Bの主動(動力)側ディスク11がそれぞれ設置されている。
【００３３】
試料採取管４は、内管12と外管13とを備え、内管12の外径はガイドロッド３の内径より小さく、外管13の内径はガイドロッド３の外径より大きく形成され、かつ内管12と外管13はガイドロッド３の軸心を通る中心線上に平面視同心円状に設置されている。
【００３４】
また、外管13の上端部に下部蓋７の上方に延びる延長管14、下端部に外管13の下端部を塞ぐ底蓋15がそれぞれ設置され、かつ外管13が試料採取管４の本体、その上端部が真上に開口する試料採取口4aになっている。
【００３５】
さらに、延長管14の内側と底蓋15の上面に上部クラッチ9Aの従動側ディスク16と下部クラッチ9Bの従動側ディスク17がそれぞれ設置され、さらに底蓋15の下端部に杭孔Ａ内を撹拌する撹拌翼18が設置されている。
【００３６】
上部ストッパー５は、内管12の上端部に内管12の管軸直角方向に水平に軸支された支持ピン5aを回転軸に鉛直上向き状態から内管12の両側にほぼ90°の範囲で回転して突出可能な一対のラッチ5b,5bと、当該ラッチ5b,5bを内管12の両側に対称なほぼ水平に突出するように常時付勢しているスプリング5cとを備えている。また、上部ストッパー５の位置と対称な内管12の下端部に下部ストッパー19が設置されている。
【００３７】
下部ストッパー19は、内管12の下端部に内管12の管軸直角方向に水平に軸支された支持ピン19aを回転軸に鉛直下向き状態から内管12の両側にほぼ90°の範囲で回転して突出可能な一対のラッチ19b,19bと、当該ラッチ19b,19bを内管12の両側に対称なほぼ水平に突出するように常時付勢しているスプリング19cとを備えている。
【００３８】
そして、試料採取管４がガイドロッド３の下端部より下方に垂下した状態にあって、試料採取口4aに下部蓋７が設置されているとき、上部ストッパー５のラッチ5b,5bが下部蓋７の下側において内管12の両側にほぼ水平に突出して開いていることで、試料採取管4が上方に移動しないようになっている。
【００３９】
また、試料採取管４がガイドロッド３と同心円状に重なった状態にあって、試料採取口4aに上部蓋８が設置されているとき、下部ストッパー19のラッチ19b,19bが下部蓋７の上側において内管12の両側にほぼ水平に突出して開いていることで、試料採取管4が下方に移動しないようになっている。
【００４０】
操作ロッド６は、掘削ロッド１およびガイドロッド３内を連続貫通して設置され、かつ先端部に取り付けられた操作用スピア20とテーパキャップ21を介して試料採取管４の内管12の上端部に連結されている。
【００４１】
このような構成において、試料採取管４がガイドロッド３の下端部に垂下した状態にあるとき、試料採取管４の試料採取口4aに下部蓋７が設置され、かつ上部ストッパー５によって移動しないようにロックされている。
【００４２】
これにより、ガイドロッド３を介して試料採取管４を杭孔Ａの底部に挿入する間、杭孔Ａ内の充填物による抵抗や水圧を受けても、ガイドロッド３の下降により試料採取管4が移動して試料採取管４内に土砂などが流れ込むことはない。また、上部クラッチ9Aの主動側ディスク10と従動側ディスク16が繋がって、試料採取管４は掘削機の動力によって回転ロッド３と共に確実に回転することができる(図2(b),(c)参照)。
【００４３】
なお、上部クラッチ9Aの主動側ディスク10と従動側ディスク16は、例えば、図2(b),(c)に図示するように、ガイドロッド３の周方向に交互に噛み合うように設置され、かつ上下方向から噛み合うことによりガイドロッド３の回転力を試料採取管４に伝達することができ、また、主動側ディスク10と従動側ディスク16が上下方向に離れることによりガイドロッド３の回転力を遮断することができる。
【００４４】
一方、操作ロッド６を介して上部ストッパー５を下方に押し込むことにより、上部ストッパー５のラッチ5b,5bを内管12の外径より小さい径に収縮でき下部蓋７の下面より外れることで、操作ロッド６を介して試料採取管４を引き上げることができる。
【００４５】
また、操作ロッド６を介して試料採取管４を引き上げる間、下部蓋７上の試料採取口4aから試料採取管４が上昇することにより、試料採取管４内に試料を採り込むことができる。
【００４６】
この試料採取管４が規定寸法上昇した位置で、試料採取口4aに上部蓋８が嵌って、試料採取口4aが閉じることで、以後、試料採取管４内に土砂などが入り込むことはない。また、試料採取管４内に試料を採取して地上に引き上げる際、下部ストッパー19のラッチ19b,19bが下部蓋７の上側において内管12の両側に対称に突出することで、試料採取管４がガイドロッド３に沿って落下してしまうこともない。
【００４７】
なお、底蓋15が下部蓋７に突き当たって、試料採取管４が規定寸法移動したことを操作ロッド６の引き上げ長で、試料採取管４が杭孔Ａ内で正常に作動して試料を採取したことを確認することができる。
【００４８】
さらに、試料採取管４の下端部に撹拌翼18を備え、かつ下部クラッチ9Bの主動側ディスク11と従動側ディスク17が噛み合うことにより、試料採取管４は回転ロッド３と共に回転することができ、これにより少々硬化した削孔Ａ内であっても、地上まで難なく引き上げることができる(図３参照)。
【００４９】
なお、下部クラッチ9Bの主動側ディスク11の凹凸と従動側ディスク17の凹凸がガイドロッド３の管軸方向に強く噛み合って、そのせん断抵抗によってガイドロッド３の回転力を試料採取管４に伝達することができる(図３参照)。
【００５０】
符号22と23は、それぞれ試料採取管４の試料採取口4aと下部蓋７および上部蓋８間の隙間を密閉するＯリングとスペーサリングであり、また、符号24は、試料採取管４からガイドロッド３を取り外す際に、治具(図省略)をひっかけるためのアイボルトである。
【００５１】
このような構成において、次に、本発明の試料採取装置２を用いて杭孔Ａの底部に築造された根固め部Ｂの未硬化状態の試料を採取する方法について説明する。
【００５２】
(1)最初に、掘削機(図省略)によって杭孔Ａを掘削し、杭孔Ａの底部に根固め部Ｂを構築したら、杭孔Ａより掘削機の掘削ロッド１を引き上げる。そして、掘削ロッド１の先端部に接続されている掘削ビット(図省略)を本発明の試料採取装置２に付け替える。
【００５３】
その際、ガイドロッド３の下端部に試料採取管４を垂下した状態に設置することにより、試料採取管４の試料採取口4aは下部蓋７上に開放された状態となり、また、下部蓋7は上部ストッパー５によって移動しないようにロックされる。
【００５４】
また、上部クラッチ9Aの主動側ディスク10と従動側ディスク16がガイドロッド３の周方向に交互に噛み合ってガイドロッド３と試料採取管４が回転力を伝達する上で繋がることにより、試料採取管４は掘削ロッド１の回転力を受けて掘削ロッド１およびガイドロッド３と共に回転可能になっている。
【００５５】
(2)次に、掘削ロッド１の先端部に接続された試料採取装置２を杭孔Ａ内に回転させながら杭孔Ａの底部まで挿入し、そして、杭孔Ａの底部に築造された未硬化状態の根固め部Ｂ内に押し込み、試料採取管４の回転を停止する。
【００５６】
なお、試料採取管４を杭孔Ａの底部まで挿入する間、および未硬化状態の根固め部Ｂ内に押し込む間、試料採取管４は上向きの抵抗を受けるが、ガイドロッド３の下端部に上部ストッパー５によって固定されているため移動することはない。
【００５７】
(3)次に、操作ロッド６を回転させながら下方に少し押し込んで下部蓋７の下面より上部ストッパー５を外し、そのまま操作ロッド６を介して試料採取管４を規定寸法まで引き上げる。
【００５８】
試料採取管４を引き上げると、下部蓋７上の、試料採取口4aより試料採取管４内に試料を採り込むことができる。また、試料採取管４がガイドロッド３に沿って上昇し、規定寸法位置で試料採取口4aに上部蓋８が嵌り込むことにより試料採取口4aは閉じる。以後、試料採取管４内に土砂などが入り込むことはない。
【００５９】
(4)次に掘削ロッド２とガイド３を介して、試料採取管４を再度回転させながら杭孔Ａ内を地上まで引き上げる。そして、試料採取管４の外管13からガイドロッド３を取り外した後、上部蓋８を取り外して外管13内の試料を回収する。
【００６０】
なお、底蓋15が下部蓋７に突き当たって、試料採取管４が規定寸法移動したことを操作ロッド６の引き上げ長で確認すると同時に、クラッチ９の主動側ディスク11と従動側ディスク17が互いに噛み合い、そのせん断抵抗によってガイドロッド３の回転力が試料採取管４に伝達されるため、試料採取管４の回転が可能になる。また、試料採取管４を杭孔Ａ内を地上まで引き上げる間、試料採取口4aは上部蓋８によって完全に閉ざされることにより、試料採取管４内に土砂などが浸入することはない。
【００６１】
以上の作業手順によって、杭孔Ａの底部に築造された根固め部Ｂの未硬化状態の試料を必要量確実に採取することができる。
【産業上の利用可能性】
【００６２】
本発明は、杭孔内の底部に築造された根固め部の未硬化状態の試料を、他の深度の充填物や土砂などを含まない状態で確実に採取することができる。
【符号の説明】
【００６３】
１  掘削ロッド
２  土質試料採取装置
３  ガイドロッド
４  試料採取管
4a  試料採取口
５  上部ストッパー
5a  支持ピン
5b  ラッチ
5c  スプリング
６  操作ロッド
７  下部蓋
８  上部蓋
9A  上部クラッチ(上部動力伝達手段)
9B  下部クラッチ(上部動力伝達手段)
10  主動(動力)側ディスク
11  主動(動力)側ディスク
12  内管
13  外管
14  延長管
15  底蓋
16  従動側ディスク
17  従動側ディスク
18  撹拌翼
19  下部ストッパー
19a  支持ピン
19b  ラッチ
19c  スプリング
20  操作用スピア
21  テーパキャップ
22  Ｏリング
23  スペーサリング
24  アイボルト
Ａ  杭孔(削孔)
Ｂ  根固め部
【図１】
2019203299.tif 000003
【図２】
2019203299.tif 000004
【図３】
2019203299.tif 000005
【図４】
2019203299.tif 000006
【図５】
2019203299.tif 000007